(57)【要約】【課題】    互いに重なる周波数帯を有すると共に，各々重なる周波数を有する偏波の組から構成されている２衛星の信号を，１本の信号ケーブル又は１組の送受信装置で受信端に伝送する。【解決手段】  第３周波数変換手段４０は１つの周波数シンセサイザ５１と，前記周波数シンセサイザ５１が出力する高周波信号の周波数を逓倍して出力する周波数逓倍器５２を備え，後段周波数変換手段１４が出力する高域側の信号（Ｂ２Ｌ＿Ｈ）を第１ローカル周波数ＦＬ１と略同一の第３ローカル周波数ＦＬ３で周波数変換するとともに，低域側の信号（Ｂ２Ｈ＿Ｌ）を前記第２ローカル周波数ＦＬ２と略同一の第４ローカル周波数ＦＬ４で周波数変換して，前記前段周波数変換手段の出力信号周波数帯と略同一の周波数帯に周波数変換するように構成した。【選択図】  図３
2005318459.tif 000002
【特許請求の範囲】
【請求項１】
重複する周波数を有する異なる偏波の組から成る第１の衛星信号を受信する第１衛星受信アンテナと，
受信した第１の衛星信号を，異なる偏波同士で周波数の重複部が無いように各偏波毎の周波数帯に周波数変換して出力する第１周波数変換手段と，
同様に重複する周波数を有する異なる偏波の組から成る第２の衛星信号を受信する第２衛星受信アンテナと，
受信した第２の衛星信号を，異なる偏波同士で周波数の重複部が無いように，且つ前記第１周波数変換手段の出力信号周波数帯を周波数軸上で低域側および高域側から挟持するように，各偏波毎の周波数帯に周波数変換して出力する第２周波数変換手段と，
第１及び第２周波数変換手段の出力信号を混合して受信側に伝送する１本の信号ケーブルと，
前記信号ケーブルによって受信側に伝送された前記第２周波数変換手段の出力信号を，第１周波数変換手段の出力信号周波数帯と略同一の周波数帯に周波数変換する第３周波数変換手段と，
を備えてなる衛星信号受信伝送システムであって，
前記第２周波数変換手段が，
受信した第２の衛星信号を，異なる偏波同士で周波数の重複部が無いように各偏波毎の周波数帯に周波数変換して出力する前段周波数変換手段と，
前段周波数変換手段の出力信号のうち，低周波側の周波数帯の出力信号を第１周波数変換手段の出力信号周波数帯よりも高域側の周波数帯に第１ローカル周波数で周波数変換するとともに，高周波側の周波数帯の出力信号を第１周波数変換手段の出力信号周波数帯よりも低域側の周波数帯に第２ローカル周波数で周波数変換する後段周波数変換手段とからなり，
前記第３周波数変換手段は１つの周波数シンセサイザと，
前記周波数シンセサイザが出力する高周波信号の周波数を逓倍して出力する周波数逓倍器を備え，前記後段周波数変換手段が出力する高域側の信号を前記第１ローカル周波数と略同一の第３ローカル周波数で周波数変換するとともに，低域側の信号を前記第２ローカル周波数と略同一の第４ローカル周波数で周波数変換して，前記前段周波数変換手段の出力信号周波数帯と略同一の周波数帯に周波数変換することを特徴とする衛星信号受信伝送システム。
【請求項２】
前記請求項１に記載の衛星信号受信伝送システムに使用する周波数変換装置であって，筐体内に入力端子と出力端子を備え，前記入力端子と前記出力端子間に前記第１の周波数変換手段が出力した出力信号が通過する第１の経路と，
前記第２の周波数変換手段が出力した出力信号が通過する第２の経路とを並列に備え，
前記第２の経路には前記第３周波数変換手段を介して接続されていることを特徴とする周波数変換装置。
【請求項３】
前記第１の経路または／及び前記第２の経路にそれぞれ通過する伝送信号を増幅して出力するための増幅器を備えていることを特徴とする請求項２に記載の周波数変換装置。
【発明の詳細な説明】
【技術分野】
【０００１】
本発明は，衛星放送或いは衛星信号を受信して伝送する衛星信号受信伝送システムに関し，特に周波数帯が重複している２衛星の信号を受信する衛星信号受信伝送システムに関する。
【背景技術】
【０００２】
従来，放送，通信に利用されている衛星としてはＢＳ衛星，ＣＳ衛星の他，スカイパーフェクＴＶ！（登録商標）として利用されているＪＣＳＡＴ−３，ＪＣＳＡＴ−４Ａ等の衛星が知られているが，放送，通信に使用されている衛星数は更に増加する傾向にある。
このような衛星放送或いは衛星信号を受信する衛星信号受信伝送システムとして，特許文献１に開示された受信伝送システムがある。
これは，例えばＢＳ，ＪＣＳＡＴ−４Ａの衛星信号を地上波放送信号と共に１本の信号ケーブルで伝送すると共に，互いに周波数帯に重なり部を有する２つの衛星信号（例えば，ＪＣＳＡＴ−３の衛星信号とＣＳ信号）を夫々異なる信号ケーブルで伝送し，４つの衛星信号及び地上波放送信号を合計３本の信号ケーブルで伝送して受信する構成のシステムである。
【０００３】
【特許文献１】特開平１１−２９８８１０号公報
【発明の開示】
【発明が解決しようとする課題】
【０００４】
しかし，上記システムは受信衛星数に対して１本少ない信号ケーブルで受信端に伝送できるものの，３本の信号ケーブルが必要であるため，信号ケーブルの引込み及び配線は相変わらず厄介であるし，各部屋には夫々の信号ケーブルに対応した３個のテレビ端子が必要であった。
【０００５】
そこで本願においては，こうした問題点を解決するためになされたものであり，その目的は，例えばＪＣＳＡＴ−３，ＪＣＳＡＴ−４Ａの衛星信号のように互いに重なる周波数帯を有すると共に，各々重なる周波数を有する偏波の組から構成されている２衛星の信号を，１本の信号ケーブルで受信端に伝送することを可能とすることで，受信信号を受信端へ伝送するための信号ケーブルを更に削減する衛星信号受信伝送システムを提供することである。
その他の目的は，発振器の数が一つで足り，製作が容易で低コスト・小型化・低消費電力が可能な周波数変換装置を提供することである。
その他の目的は，伝送系で減衰した衛星信号の信号レベルの補償が可能な周波数変換装置を提供することである。
【課題を解決するための手段】
【０００６】
上記課題を解決するために，請求項１の発明は，重複する周波数を有する異なる偏波の組から成る第１の衛星信号を受信する第１衛星受信アンテナと，受信した第１の衛星信号を，異なる偏波同士で周波数の重複部が無いように各偏波毎の周波数帯に周波数変換して出力する第１周波数変換手段と，同様に重複する周波数を有する異なる偏波の組から成る第２の衛星信号を受信する第２衛星受信アンテナと，受信した第２の衛星信号を，異なる偏波同士で周波数の重複部が無いように，且つ前記第１周波数変換手段の出力信号周波数帯を周波数軸上で低域側および高域側から挟持するように，各偏波毎の周波数帯に周波数変換して出力する第２周波数変換手段と，第１及び第２周波数変換手段の出力信号を混合して受信側に伝送する１本の信号ケーブルと，前記信号ケーブルによって受信側に伝送された前記第２周波数変換手段の出力信号を，第１周波数変換手段の出力信号周波数帯と略同一の周波数帯に周波数変換する第３周波数変換手段とを備えてなる衛星信号受信伝送システムであって，
前記第２周波数変換手段が，受信した第２の衛星信号を，異なる偏波同士で周波数の重複部が無いように各偏波毎の周波数帯に周波数変換して出力する前段周波数変換手段と，前段周波数変換手段の出力信号のうち，低周波側の周波数帯の出力信号を第１周波数変換手段の出力信号周波数帯よりも高域側の周波数帯に第１ローカル周波数で周波数変換するとともに，高周波側の周波数帯の出力信号を第１周波数変換手段の出力信号周波数帯よりも低域側の周波数帯に第２ローカル周波数で周波数変換する後段周波数変換手段とからなり，前記第３周波数変換手段は１つの周波数シンセサイザと，前記周波数シンセサイザが出力する高周波信号の周波数を逓倍して出力する周波数逓倍器を備え，前記後段周波数変換手段が出力する高域側の信号を前記第１ローカル周波数と略同一の第３ローカル周波数で周波数変換するとともに，低域側の信号を前記第２ローカル周波数と略同一の第４ローカル周波数で周波数変換して，前記前段周波数変換手段の出力信号周波数帯と略同一の周波数帯に周波数変換するように構成される。
【０００７】
請求項２の発明は，筐体内に入力端子と出力端子を備え，前記入力端子と前記出力端子間に前記第１の周波数変換手段が出力した出力信号が通過する第１の経路と，前記第２の周波数変換手段が出力した出力信号が通過する第２の経路とを並列に備え，前記第２の経路には前記第３周波数変換手段を介して接続するように構成される。
【０００８】
請求項３の発明は，請求項２に記載の周波数変換装置において，前記第１の経路または／及び前記第２の経路にそれぞれ通過する伝送信号を増幅して出力するための増幅器を備えるように構成される。
【発明の効果】
【０００９】
請求項１の発明によれば，重複する周波数を有する異なる偏波の組から成る第１の衛星信号を受信する第１衛星受信アンテナと，受信した第１の衛星信号を，異なる偏波同士で周波数の重複部が無いように各偏波毎の周波数帯に周波数変換して出力する第１周波数変換手段と，同様に重複する周波数を有する異なる偏波の組から成る第２の衛星信号を受信する第２衛星受信アンテナと，受信した第２の衛星信号を，異なる偏波同士で周波数の重複部が無いように，且つ前記第１周波数変換手段の出力信号周波数帯を周波数軸上で低域側および高域側から挟持するように，各偏波毎の周波数帯に周波数変換して出力する第２周波数変換手段と，第１及び第２周波数変換手段の出力信号を混合して受信側に伝送する１本の信号ケーブルと，前記信号ケーブルによって受信側に伝送された前記第２周波数変換手段の出力信号を，第１周波数変換手段の出力信号周波数帯と略同一の周波数帯に周波数変換する第３周波数変換手段とを備えてなる衛星信号受信伝送システムであって，
前記第２周波数変換手段が，受信した第２の衛星信号を，異なる偏波同士で周波数の重複部が無いように各偏波毎の周波数帯に周波数変換して出力する前段周波数変換手段と，前段周波数変換手段の出力信号のうち，低周波側の周波数帯の出力信号を第１周波数変換手段の出力信号周波数帯よりも高域側の周波数帯に第１ローカル周波数で周波数変換するとともに，高周波側の周波数帯の出力信号を第１周波数変換手段の出力信号周波数帯よりも低域側の周波数帯に第２ローカル周波数で周波数変換する後段周波数変換手段とからなり，前記第３周波数変換手段は１つの周波数シンセサイザと，前記周波数シンセサイザが出力する高周波信号の周波数を逓倍して出力する周波数逓倍器を備え，前記後段周波数変換手段が出力する高域側の信号を前記第１ローカル周波数と略同一の第３ローカル周波数で周波数変換するとともに，低域側の信号を前記第２ローカル周波数と略同一の第４ローカル周波数で周波数変換して，前記前段周波数変換手段の出力信号周波数帯と略同一の周波数帯に周波数変換するように構成したので，
例えばＪＣＳＡＴ−３，ＪＣＳＡＴ−４Ａの衛星信号のように互いに重なる周波数帯を有すると共に，各々重なる周波数を有する偏波の組から構成されている２衛星の信号を，１本の信号ケーブルで受信端に伝送することを可能とすることで，受信信号を受信端へ伝送するための信号ケーブルを更に削減する衛星信号受信伝送システムを提供することができる。
【００１０】
請求項２の発明によれば，筐体内に入力端子と出力端子を備え，前記入力端子と前記出力端子間に前記第１の周波数変換手段が出力した出力信号が通過する第１の経路と，前記第２の周波数変換手段が出力した出力信号が通過する第２の経路とを並列に備え，前記第２の経路には前記第３周波数変換手段を介して接続するように構成したので，
発振器の数が一つで足り，製作が容易で低コスト・小型化・低消費電力が可能な周波数変換装置を提供することができる。
【００１１】
請求項３の発明によれば，請求項２に記載の周波数変換装置において，前記第１の経路または／及び前記第２の経路にそれぞれ通過する伝送信号を増幅して出力するための増幅器を備えるように構成したので，
上記の効果に加え，伝送系で減衰した衛星信号の信号レベルの補償が可能な周波数変換装置を提供することができる。
【発明を実施するための最良の形態】
【００１２】
以下，本発明を具体化した実施の形態を，図面に基づいて詳細に説明する。図１は本発明に係る衛星信号受信伝送システムの第１実施形態を示すブロック図であり，図２はこのシステムにおける受信周波数の変化を説明する周波数スペクトラムを示している。
【００１３】
図１において，１はＶＨＦアンテナ，２はＵＨＦアンテナ，３はＢＳ信号及び１１０°ＣＳ信号を受信する第３の衛星受信アンテナであり，ＶＨＦ受信信号とＵＨＦ受信信号は混合器４で混合され，混合機能を有する第１ブースタ５に入力される。また，第３の衛星受信アンテナ３で受信したＢＳ，ＣＳ信号は内蔵するコンバータにより図２（ａ）に示す周波数帯に周波数変換（ＩＦ変換）されて出力され，第１ブースタ５に入力される。具体的には，ＢＳ信号は１０３２〜１４８９ＭＨｚの周波数帯にＩＦ変換され，ＣＳ右偏波信号は１５９５〜２０７１ＭＨｚにＩＦ変換され，ＣＳ左偏波信号は２１２６〜２６０２ＭＨｚにＩＦ変換される。
【００１４】
第１ブースター５の出力は，１本の同軸ケーブルから成る信号ケーブル１０で伝送され，例えば引込む住戸の数に応じて分岐器６ａ，分配器６ｂにより分岐分配して引込まれる。そして，各信号は受信端となる２端子から成るテレビ端子１１のうち一方の第１テレビ端子１１ａに接続される。この第１テレビ端子１１ａには分波器２４が設けられ，一方の出力がＢＳ／ＣＳチューナ２５に接続されてテレビ受像機２６に接続され，他方の出力は直接テレビ受像機２６に接続される。こうして，地上波放送信号及びＢＳ，ＣＳ信号が受信できる。
【００１５】
１２は，垂直および水平偏波の組から成るＪＣＳＡＴ−３の衛星信号を受信する第１衛星受信アンテナであり，その衛星信号を内蔵する第１周波数変換手段としてのコンバータ１２ａにより図２（ｂ）〜（ｄ）に示す周波数帯の信号にＩＦ変換して出力する。
ここでコンバータ１２ａは，両偏波同士で周波数の重複部が無いように，
垂直偏波信号を低周波側の周波数帯「Ｂ１Ｌ」（最低周波数「ＦＢ１Ｌｍｉｎ」（＝１０４８ＭＨｚ）〜最高周波数「ＦＢ１Ｌｍａｘ」（＝１５３３ＭＨｚ））で出力し，
水平偏波信号を高周波側の周波数帯「Ｂ１Ｈ」（最低周波数「ＦＢ１Ｈｍｉｎ」（＝１５９０ＭＨｚ）〜最高周波数「ＦＢ１Ｈｍａｘ」（＝２０７０ＭＨｚ））で出力している。
【００１６】
さらに，１３は，垂直および水平偏波の組から成るＪＣＳＡＴ−４Ａの衛星信号を受信する第２衛星受信アンテナであり，その衛星信号を図２（ｂ）に示す周波数帯の信号にＩＦ変換して出力する前段周波数変換手段としてのコンバータ１３ａを内蔵している。
ここでコンバータ１３ａは，第１衛星受信アンテナ１２と同様に構成され，両偏波同士で周波数の重複部が無いように，
垂直偏波信号を低周波側の周波数帯「Ｂ２Ｌ」（最低周波数「ＦＢ２Ｌｍｉｎ」（＝１０５３ＭＨｚ）〜最高周波数「ＦＢ２Ｌｍａｘ」（＝１５３３ＭＨｚ））で出力し，
水平偏波信号を高周波側の周波数帯「Ｂ２Ｈ」（最低周波数「ＦＢ２Ｈｍｉｎ」（＝１５９０ＭＨｚ）〜最高周波数「ＦＢ２Ｈｍａｘ」（＝２０７０ＭＨｚ））で出力している。
【００１７】
そして，第２衛星受信アンテナ１３の出力信号は，後段周波数変換手段としてのブロックコンバータ１４（図４）にて図２（ｃ）に示す周波数帯の信号に更にＩＦ変換される。
ここでブロックコンバータ１４は，コンバータ１３ａの出力信号のうち，
低周波側の周波数帯「Ｂ２Ｌ」の垂直偏波信号を入力端子１４ａから入力し，コンバータ１２ａの出力信号周波数帯「Ｂ１Ｌ」，「Ｂ１Ｈ」よりも高域側の周波数帯「Ｂ２Ｌ＿Ｈ」（最低周波数「ＦＢ２Ｌ＿Ｈｍｉｎ」（＝２１０５ＭＨｚ）〜最高周波数「ＦＢ２Ｌ＿Ｈｍａｘ」（＝２５８５ＭＨｚ））に第１ローカル周波数「ＦＬ１」（＝３６３８ＭＨｚ）で次式（１）を用いてＩＦ変換して出力端子１４ｃから出力し，
「Ｂ２Ｌ＿Ｈ」＝「Ｂ２Ｌ」−「ＦＬ１」・・・（１）（負符号は極性の反転を表す）
また，高周波側の周波数帯「Ｂ２Ｈ」の水平偏波信号を入力端子１４ｂから入力し，コンバータ１２ａの出力信号周波数帯「Ｂ１Ｌ」，「Ｂ１Ｈ」よりも低域側の周波数帯「Ｂ２Ｈ＿Ｌ」（最低周波数「ＦＢ２Ｈ＿Ｌｍｉｎ」（＝５３８ＭＨｚ）〜最高周波数「ＦＢ２Ｈ＿Ｌｍａｘ」（＝１０１８ＭＨｚ））に第２ローカル周波数「ＦＬ２」（＝２６０８ＭＨｚ）で次式（２）を用いてＩＦ変換して出力端子１４ｄから出力する。
「Ｂ２Ｈ＿Ｌ」＝「Ｂ２Ｈ」−「ＦＬ２」・・・（２）（負符号は極性の反転を表す）
【００１８】
図４はブロックコンバータ１４の実施例を示すブロック図であり，ブロックコンバータ１４は，図４に示すように，第１ローカル周波数「ＦＬ１」信号を生成して出力するように構成された局部発振器８０と，第２ローカル周波数「ＦＬ２」信号を生成して出力するように構成された局部発振器８１を備えている。なお,９０，９１は混合器である。
【００１９】
このようにブロックコンバータ１４は，コンバータ１３ａの低周波側および高周波側の周波数帯「Ｂ２Ｌ」，「Ｂ２Ｈ」の各出力信号を，対応する入力端子１４ａ，１４ｂから入力し，コンバータ１２ａの出力信号（出力信号周波数帯「Ｂ１Ｌ」，「Ｂ１Ｈ」）を周波数軸上で低域側および高域側から挟持するように偏波毎の周波数帯（「Ｂ２Ｈ＿Ｌ」，「Ｂ２Ｌ＿Ｈ」）に周波数変換して分離配列する。これらの４つの周波数帯に周波数変換されたコンバータ１２ａの出力信号およびブロックコンバータ１４の出力端子１４ｃ，１４ｄの出力信号は，混合器１５で混合されて１本の信号ケーブル１６で受信端に向けて伝送される。尚，コンバータ１３ａとブロックコンバータ１４とで第２周波数変換手段１９を構成している。
【００２０】
信号ケーブル１６は途中に第２ブースタ１７が設けられ，伝送信号が増幅されると共に引込む住戸数に応じて分岐器１８ａ，分配器１８ｂで分岐分配され，各住戸に伝送されて引込まれる。そして，各信号は受信端となる２端子から成るテレビ端子１１のうち他方の第２テレビ端子１１ｂに接続される。この第２テレビ端子１１ｂは第３周波数変換手段を内蔵した後述する周波数変換装置２０の入力端子２０ａに接続される。そして，ＪＣＳＡＴ用チューナ２７を介してテレビ受像器２６に接続される。こうして，ＪＣＳＡＴ−３及びＪＣＳＡＴ−４Ａの衛星信号が受信できる。
【００２１】
周波数変換装置２０は，図３のブロック図に示すように構成され，その筐体内に入力端子２０ａ，出力端子２０ｂを備えている。３０は避雷装置で本機器を誘導雷などから保護するためのもので本実施例ではチョークコイルを使用している。３１は減衰器で第１の経路１０１または第２の経路１００の内いずれか選択されていない経路に介在されている能動素子(たとえば増幅器，ＰＬＬシンセサイザ）の電源をＯＦＦしたときに入力端子から周波数変換装置２０側を見たときインピーダンス特性が乱れるのを防止するために使用している。また増幅器に入力される信号レベルを適正範囲にするためのものである。３２は分配器で，ＩＦ変換された信号を２分配している。３３は混合器である。３４はカットオフ周波数周波数がたとえば１０４８ＭＨｚのハイパスフィルターである。３５は電源分離フィルターで，ＩＦ変換された衛星受信信号は出力端子２０ｂに出力すると共に，ＪＣＳＡＴ用チューナ２７から送出された衛星識別信号（３２ｋＨｚ〜５３ｋＨｚパルス信号），偏波切り換え信号（ＤＣ１１Ｖ／１５Ｖ），周波数変換器動作用電源（ＤＣ１１Ｖ〜１５Ｖ）は「偏波電圧及びパルス検出部」３６に出力されるようになっている。
【００２２】
第１の経路１０１は，ハイパスフィルター６１（たとえばカットオフ周波数１０４８ＭＨｚ），ローパスフィルター６２（たとえばカットオフ周波数２０７０ＭＨｚ），増幅器６３・６５，伝送ケーブルの周波数特性を補正するためのイコライザ６４，ＪＣＳＡＴ３の受信信号の出力レベルを調整するための減衰器６６で構成されている。
第２の経路１００は，増幅器４１・４３・４６，バンドエリミネートフィルター４２（たとえば１０４８ＭＨｚ〜２０７０ＭＨｚの信号(換言するとＪＣＳＡＴ３の受信信号)の通過を阻止するフィルター），混合器４４，ローパスフィルター４５（たとえばカットオフ周波数１５３３ＭＨｚ），ＪＣＳＡＴ４Ａの受信信号の出力レベルを調整するための減衰器４７で構成されている。尚,バンドエリミネートフィルター４２の代わりに，たとえばカットオフ周波数１０１８ＭＨｚのローパスフィルターと，たとえばカットオフ周波数２１０５ＭＨｚのハイパスフィルターを並列に接続しても同様の効果を得ることができる。
なお，４０は第３周波数変換手段としてのコンバータ部を示しており，増幅器４１・４３・４６と，バンドエリミネートフィルター４２と，混合器４４と，ローパスフィルター４５と，減衰器４７と，ＰＬＬ周波数シンセサイザ５１と，逓倍器５２と，ローパスフィルター５３と，ハイパスフィルター５４で構成されている。
また，５２は逓倍器で本実施例では２逓倍器を使用している。５３はたとえばカットオフ周波数３６３８ＭＨｚのローパスフィルターである。５４はたとえばカットオフ周波数２６０８ＭＨｚのハイパスフィルターである。
【００２３】
「偏波電圧及びパルス検出部」３６は，衛星識別信号として３２ｋＨｚ〜５３ｋＨｚのパルス信号の有無を検出すると共に，ＤＣ電圧を検出して偏波切り換え信号を生成する。具体的には，パルス信号がある場合はＪＣＳＡＴ４Ａと判断し，パルス信号が無い場合はＪＣＳＡＴ３と判断する。また，略ＤＣ１２Ｖ以下は垂直偏波と判断し，略ＤＣ１３．５Ｖを超える場合は水平偏波と判断する。そして，判断結果に基づき衛星識別信号及び偏波切り換え信号を制御装置５０に送出する。
【００２４】
制御装置５０は「前記偏波電圧及びパルス検出部」３６の出力信号に伴い，第１の電源供給経路１０２，ＰＬＬ制御信号経路１０３，第２の電源供給経路１０４を介して，増幅器４１・４３・４６・６３・６５，ＰＬＬ周波数シンセサイザ５１を制御する。具体的には，ＪＣＳＡＴ用チューナにてＪＣＳＡＴ３が選択された場合，増幅器４１・４３・４６，ＰＬＬ周波数シンセサイザ５１の電源をＯＦＦする。そして，増幅器６３・６５の電源をＯＮして，ＪＣＳＡＴ３の受信信号は第１の経路１０１を通過して周波数変換されずにそのまま出力端子２０ｂに出力される。
【００２５】
また，ＪＣＳＡＴ用チューナにてＪＣＳＡＴ４Ａの水平偏波が選択されると増幅器６３・６５の電源をＯＦＦする。そして，増幅器４１・４３・４６，ＰＬＬ周波数シンセサイザ５１の電源をＯＮすると共に，ＰＬＬ周波数シンセサイザ５１に対して，局部発振周波数を１３０４ＭＨｚに設定するように指令を送出する。そして，ＰＬＬ周波数シンセサイザ５１から出力された１３０４ＭＨｚ（＠ＦＬ４）は周波数逓倍器５２で２逓倍され，２６０８ＭＨｚの第４ローカル信号（ＦＬ４）が生成され，混合器４４の出力にはＪＣＳＡＴ４Ａの水平偏波信号として前記第２周波数変換手段の前段周波数変換したときの周波数とほぼ同じ信号に戻り，図２（ｆ）に示す周波数スペクトルの信号が第２の経路１００を介して出力端子２０ｂから出力される。
【００２６】
また，ＪＣＳＡＴ用チューナにてＪＣＳＡＴ４Ａの垂直偏波が選択されると増幅器６３・６５の電源をＯＦＦする。そして，増幅器４１・４３・４６，ＰＬＬ周波数シンセサイザ５１の電源をＯＮすると共に，ＰＬＬ周波数シンセサイザ５１に対して，局部発振周波数を１８１９ＭＨｚに設定するように指令を送出する。そして，ＰＬＬ周波数シンセサイザ５１から出力された１８１９ＭＨｚ（＠ＦＬ３）は周波数逓倍器５２で２逓倍され，３６３８ＭＨｚの第３ローカル信号（ＦＬ３）が生成され，混合器４４の出力にはその結果，ＪＣＳＡＴ４Ａの垂直偏波信号として前記第２周波数変換手段の前段周波数変換したときの周波数とほぼ同じ信号に戻り，図２（ｅ）に示す周波数スペクトルの信号が第２の経路１００を介して出力端子２０ｂから出力される。
【００２７】
このように第３の周波数変換手段において，周波数シンセサイザが出力する信号周波数（＠ＦＬ４，＠ＦＬ３）を本来のローカル周波数（ＦＬ４，ＦＬ３）より低くすることにより周波数シンセサイザのコストが下がると共に，第３,第４のローカル信号を１つの周波数シンセサイザで発生できる。
【００２８】
このようにして，ＪＣＳＡＴ−３の受信信号は，第１衛星受信アンテナ１２から規格化された周波数帯にＩＦ変換して出力され，その後周波数変換されずに受信端まで伝送されるので，受信端で周波数変換することなく規格化されたＪＣＳＡＴ用チューナ２７で受信することができる。また，ＪＣＳＡＴ−４Ａの受信信号は，第１衛星受信アンテナ１２と同様に，第２衛星受信アンテナ１３で受信してＩＦ変換した後，周波数軸上で大きく分離して伝送されるが，受信側のコンバータ部４０で再変換してアンテナ出力時の周波数配列に戻すので，同様に規格化されたＪＣＳＡＴ用チューナで受信可能となる。従って，ＪＣＳＡＴ用チューナ２７の操作でＪＣＳＡＴ−３の信号とＪＣＳＡＴ−４Ａの信号を選択して受信できる。
【００２９】
このように，互いに重複する周波数帯を有し，且つ個々に重複する周波数を有する異なる偏波の組からなるＪＣＳＡＴ−３及びＪＣＳＡＴ−４Ａの衛星信号であっても，ＪＣＳＡＴ−４Ａの受信信号の異なる偏波同士をＪＣＳＡＴ−３の衛星の受信信号を周波数軸上で跨ぐように大きく分離して異なる周波数帯に配列するため，１本の信号ケーブル１６で双方の信号を伝送することができる。また，例えばＢＳ，ＣＳ等の他の衛星信号を１本の信号ケーブル１０で伝送することで４衛星の信号を２本のケーブルで伝送でき，少ない信号ケーブルで４衛星の受信信号を伝送することができる。
更に，第１衛星受信アンテナ１２と第２衛星受信アンテナ１３を同一の構成にできるので，コストを削減できる。
【００３０】
また，本実施形態では，第１ローカル周波数「ＦＬ１」が第２ローカル周波数「ＦＬ２」よりも高い周波数であり，且つ第２ローカル周波数「ＦＬ２」がコンバータ１２ａの出力信号周波数帯の高域側の周波数帯「Ｂ２Ｌ＿Ｈ」（２１０５〜２５８５ＭＨｚ）の最高周波数「ＦＢ２Ｌ＿Ｈｍａｘ」（＝２５８５ＭＨｚ）よりも高い周波数となるように，第１ローカル周波数「ＦＬ１」として３６３８ＭＨｚを，また第２ローカル周波数「ＦＬ２」として２６０８ＭＨｚを採用している。
【００３１】
尚，第１および第２ローカル周波数「ＦＬ１」，「ＦＬ２」は，下記の不等式（３），（４）を満たす様に設定されている。
３６０３ＭＨｚ≦「ＦＬ１」＜３６９１ＭＨｚ    ・・・（３）
２５５０ＭＨｚ＜「ＦＬ２」≦２６３８ＭＨｚ    ・・・（４）
ここで，両不等式（３），（４）は，
・ブロックコンバータ１４の出力信号が，コンバータ１２ａの出力信号周波数帯「Ｂ１Ｌ」，「Ｂ１Ｈ」を周波数軸上で低域側および高域側から挟持すること（条件（ｉ））
・第１ローカル周波数「ＦＬ１」が第２ローカル周波数「ＦＬ２」よりも高い周波数であり，且つ第２ローカル周波数「ＦＬ２」が高域側の周波数帯「Ｂ２Ｌ＿Ｈ」の最高周波数「ＦＢ２Ｌ＿Ｈｍａｘ」よりも高い周波数となること（条件（ｉｉ））
の２つの条件（ｉ），（ｉｉ）に基づいて導出される。
【００３２】
尚，本発明は上記実施の形態に限定されるものではなく，以下に例示するように，本発明の趣旨を逸脱しない範囲で各部を適宜に変更して実施することも可能である。
上記実施形態では，ＢＳ，ＣＳを混合して１本の信号ケーブル１０で，ＪＣＳＡＴ−３，ＪＣＳＡＴ−４Ａの衛星信号を混合して１本の信号ケーブル１６で伝送しているが，この組合せは変えても良く，例えばＢＳとＪＣＳＡＴ−３の信号を１本の信号ケーブルで伝送し，ＣＳとＪＣＳＡＴ−４Ａを１本の信号ケーブルで伝送しても良い。但しこの場合，ブロックコンバータや周波数変換器のコンバータ部のローカル周波数は上記数値とは異なった値となる。
また，第２衛星受信アンテナ１３のコンバータ１３ａとブロックコンバータ１４は一体に形成し，アンテナに内蔵するコンバータで直接図２（ｃ）に示す周波数帯に変換しても良く，そうすればブロックコンバータは必要なくなる。
また，図１のように，ブロックコンバータ１４と混合器１５は一体に形成し（２点鎖線内），第２衛星アンテナ１３と別体に構成しても良い。
また，前記第１衛星アンテナ１２及び第２衛星アンテナ１３は  別体で設けなくてもよい。たとえば，１つのアンテナ鏡面のそれぞれの衛星を指向する位置に受信要素（第１周波数変換手段としてのコンバータ１２ａ，前段周波数変換手段としてのコンバータ１３ａ）を設置すればよい。
【００３３】
また，上記実施形態は，何れもＢＳ，ＣＳ，ＪＣＳＡＴ−３，ＪＣＳＡＴ−４Ａの４つの衛星信号を受信する構成を示しているが，本発明はこの衛星に限定するものでなく，第１及び第２の衛星信号が，重なる周波数帯を有すると共に夫々異なる偏波の組から構成されている場合は上記システムを適用することで１本の信号ケーブルで双方の衛星信号を伝送でき，良好に受信することができる。
【図面の簡単な説明】
【００３４】
【図１】本発明に係る衛星信号受信伝送システムの第１実施形態を示すブロック図である。
【図２】図１の受信信号周波数の変化を示す周波数スペクトラムであり，（ａ）は地上波とＩＦ変換後のＢＳ，ＣＳの伝送信号，（ｂ）はアンテナが出力するＩＦ変換したＪＣＳＡＴ−３及びＪＣＳＡＴ−４Ａの衛星信号，（ｃ）はＩＦ変換したＪＣＳＡＴ−４Ａの信号を更にブロックコンバータで周波数変換してＪＣＳＡＴ−３の信号と混合した際の伝送信号，（ｄ）はＪＣＳＡＴ−３の信号が選択された場合の伝送信号，（ｅ）はＪＣＳＡＴ−４Ａの垂直偏波信号が選択された場合の伝送信号，（ｆ）はＪＣＳＡＴ−４Ａの水平偏波信号が選択された場合の伝送信号を示している。
【図３】図１に示す周波数変換装置のブロック図である。
【図４】図１に示すブロックコンバータ（後段周波数変換手段）のブロック図である。
【符号の説明】
【００３５】
１・・ＶＨＦアンテナ，２・・ＵＨＦアンテナ，３・・第３衛星受信アンテナ，４・・混合器，５・・第１ブースタ，６ａ・・分岐器，６ｂ・・分配器，１０・・信号ケーブル，１１・・テレビ端子，１２・・第１衛星受信アンテナ，１２ａ・・第１周波数変換手段としてのコンバータ，１３・・第２衛星受信アンテナ，１３ａ・・前段周波数変換手段としてのコンバータ，１４・・後段周波数変換手段としてのブロックコンバータ，１４ａ・・第１の入力端子，１４ｂ・・第２の入力端子，１４ｃ・・第１の出力端子，１４ｄ・・第２の出力端子，１５・・混合器，１６・・信号ケーブル，１７・・第２ブースタ，１８ａ・・分岐器，１８ｂ・・分配器，１９・・第２周波数変換手段，２０・・周波数変換装置（第３周波数変換手段），２０ａ・・入力端子，２０ｂ・・出力端子，２４・・分波器，２５・・ＢＳ／ＣＳチューナ，２６・・テレビ受像機，２７・・ＪＣＳＡＴ用チューナ，３０・・避雷装置，３１・・減衰器，３２・・分配器，３３・・混合器，３４・・ハイパスフィルター，３５・・電源分離フィルター，３６・・偏波電圧及びパルス検出部，４０・・第３周波数変換手段としてのコンバータ部，４１・・増幅器，４２・・バンドエリミネートフィルター，４３・・増幅器，４４・・混合器，４５・・ローパスフィルター，４６・・増幅器，４７・・減衰器，５０・・制御装置，５１・・ＰＬＬ周波数シンセサイザ，５２・・逓倍器，５３・・ローパスフィルター，５４・・ハイパスフィルター，６１・・ハイパスフィルター，６２・・ローパスフィルター，６３・・増幅器，６４・・イコライザ，６５・・増幅器，６６減衰器，８０・・第１の局部発振器（ＦＬ１），８１・・第２の局部発振器（ＦＬ２），９０・・混合器，９１・・混合器，１００・・第２の経路，１０１・・第１の経路，１０２・・第１の電源供給経路，１０３・・ＰＬＬ制御信号経路，１０４・・第２の電源供給経路。
【図１】
2005318459.tif 000003
【図２】
2005318459.tif 000004
【図３】
2005318459.tif 000005
【図４】
2005318459.tif 000006